(57)【要約】【課題】複写機において、原稿スキャン処理の速やかな開始を損なわず、また、原稿スキャン処理とプリント処理とが並行して行われる高速コピー処理において、画像データの記録よりもプリント処理が先行せず、光源の明るさチェックを可能とすること。【解決手段】光源を備えたキャリッジ（２４０）が、ＡＤＦ（２３０）の参照板（２３６）に対向する第１の位置で待機する。原稿スキャン処理の開始前に、前記第１の位置に停止する前記キャリッジ（２４０）の前記光源（２４１）を点灯する第１ランプチェック処理が行われる。前記第１ランプチェック処理の結果が良好であることを含む高速コピー要件が満たされていれば、前記高速コピー処理が行われる。その他の場合、前記第１の位置又は前記キャリッジが固定された参照面（２２３）に対向する第２の位置でのランプチェック処理の結果が良好であることを要件に、通常コピー処理が行われる。【選択図】図１
2011124904.tif 000002
【特許請求の範囲】
【請求項１】
原稿台の上側を開閉可能に支持され、自動原稿搬送装置が設けられた原稿カバーと、
原稿に投光する光源と前記原稿からの反射光を受光素子へ導く導光部の一部とが設けられ、前記原稿台に沿って副走査方向に移動可能に支持され、前記原稿カバーが閉じられた状態において前記自動搬送装置における前記原稿の搬送経路の一部に形成された第１の参照面に対向する第１の位置に停止して待機するキャリッジと、
前記キャリッジを制御し、前記受光素子により得られる画像データをメモリに記録する原稿スキャン処理を制御するスキャナ制御部と、
シート材を供給位置から画像形成位置を経て排出位置へ搬送し、前記画像形成位置を通過する前記シート材に対して前記メモリに記録された前記画像データに基づいて画像を形成するプリント処理を制御するプリンタ制御部と、を備えた複写機であって、
所定のコピー開始操作が検知されたときに、少なくとも前記原稿スキャン処理の開始前に、前記第１の位置に停止する前記キャリッジの前記光源を点灯させ、前記受光素子により検出される前記第１の参照面からの反射光の強度に基づいて前記光源の良否を検知する第１のランプチェック処理が実行されるよう前記スキャナ制御部を制御する第１ランプチェック制御部と、
前記コピー開始操作が検知されたときに、前記原稿スキャン処理の開始前に、前記第１のランプチェック処理の結果が良好であることを含む所定の高速コピー要件が満たされているか否かを判別する高速コピー要件判別部と、
前記高速コピー要件判別部によって前記高速コピー要件が満たされていると判別されたときに、前記原稿スキャン処理と前記プリント処理とが並行して行われるよう前記スキャナ制御部及び前記プリンタ制御部を制御する第１メイン制御部と、
前記第１のランプチェック処理の結果が不良であるときに、前記キャリッジを前記第１の位置から所定位置に固定された第２の参照面に対向する第２の位置へ移動させるとともに前記キャリッジの前記光源を点灯させ、前記受光素子により検出される前記第２の参照面からの反射光の強度に基づいて前記光源の良否を検知する第２のランプチェック処理が実行されるよう前記スキャナ制御部を制御する第２ランプチェック制御部と、
前記高速コピー要件判別部によって前記高速コピー要件が満たされていないと判別されたときに、前記第１のランプチェック処理の結果が良好であること、又は前記第２のランプチェック処理の結果が良好であることを要件として前記原稿スキャン処理が実行され、該原稿スキャン処理の完了後に前記プリント処理が実行されるよう、前記スキャナ制御部及び前記プリンタ制御部を制御する第２メイン制御部と、
を備えることを特徴とする複写機。
【請求項２】
前記第１メイン制御部により制御される前記スキャナ制御部は、前記原稿スキャン処理において前記受光素子により得られる画像データを符号化せずに前記メモリに記録し、
前記第１メイン制御部により制御される前記プリンタ制御部は、前記メモリから符号化されていない前記画像データを読み出して前記プリント処理を行い、
前記第２メイン制御部により制御される前記スキャナ制御部は、前記原稿スキャン処理において前記受光素子により得られる画像データを符号化して前記メモリに記録し、
前記第２メイン制御部により制御される前記プリンタ制御部は、前記メモリに記録された前記画像データが復号化されたデータを用いて前記プリント処理を行う、請求項１に記載の複写機。
【請求項３】
前記第１メイン制御部により制御される前記スキャナ制御部によって符号化されない画像データが記録される前記メモリと、前記第２メイン制御部により制御される前記スキャナ制御部によって符号化された画像データが記録される前記メモリとを個別に備える、請求項２に記載の複写機。
【発明の詳細な説明】
【技術分野】
【０００１】
本発明は、複写機に関するものである。
【背景技術】
【０００２】
複写機は、一般に、画像読み取り部及びそれを制御するスキャナ制御部と、画像形成部及びそれを制御するプリンタ制御部と、前記スキャナ制御部及び前記プリンタ制御部を制御するメイン制御部とを備えている。前記画像読み取り部は、原稿を走査して画像を読み取りつつ、その画像のデータをメモリに記録する原稿スキャン処理を実行する。また、前記画像形成部は、前記画像読み取り部によって得られた画像データに基づいてシート材に画像を形成するプリント処理を実行する。
【０００３】
前記スキャナ制御部、前記プリンタ制御部及び前記メイン制御部が独立して設けられることにより、各制御部のソフトウェアの独立性が高くなるため、高度な制御を実現するソフトウェアの生産性向上する。
【０００４】
前記画像読み取り部は、光透過性の材料からなる原稿台の下方で所定の副走査方向に移動することにより、原稿台に載置された原稿を走査するキャリッジを備えている。前記原稿台は、一般に、フラットベッドと称される。前記キャリッジは、主走査方向に伸びて形成された光源及びミラーが一体化されたユニットである。また、前記キャリッジは、前記主走査方向に直交する副走査方向において往復移動可能に支持されている。前記キャリッジにおける前記光源の光は、前記原稿台を透過して原稿に反射し、原稿からの反射光は、前記キャリッジにおける前記ミラーによって変向され、受光素子へ導かれる。前記原稿からの反射光には、原稿の画像の情報が含まれている。
【０００５】
なお、通常の画像読み取り部は、前記光源及び第１のミラーが一体化された第１キャリッジと、前記第１のミラーで反射された光を変向して受光素子へ導く複数の第２のミラーが一体化された第２キャリッジとを備えている。前記第２キャリッジは、前記第１のミラーから受光素子までの光路長を一定に保持するように、前記副走査方向において前記第１キャリッジに連動する。
【０００６】
前記キャリッジにおける光源の明るさが不足する場合、正常な画像データが得られない。前記光源の明るさが不足する状態でコピー処理が実行されると、現像剤及びシート材が無駄に消費される。そこで、前記画像読み取り部は、前記メイン制御部から前記原稿スキャン処理の開始指令を受けたときに、前記光源の明るさチェックするランプチェックを実行し、前記光源の明るさが正常であることを確認した上で原稿の走査を行う。
【０００７】
前記ランプチェックは、原稿以外の参照面に前記光源の光を投光し、前記受光素子によって得られる前記参照面からの反射光の強度に基づいて、前記光源の良否判別を行う処理である。例えば、特許文献１には、前記ランプチェックの結果がエラーであるときに、前記画像形成部が前記プリント処理を停止することが示されている。前記参照面は、例えば、白色、薄い黄色又は薄い灰色などの均一な色の面である。
【０００８】
また、複写機において、ＡＤＦ（Automatic Document Feeder）は、前記原稿台の上側を開閉可能に支持された原稿カバーに設けられる。ＡＤＦを備えた複写機において、前記キャリッジは、副走査方向に移動しながら前記原稿台（フラットベッド）に載置された原稿をスキャンするキャリッジ移動スキャンと、前記ＡＤＦにおける原稿の搬送経路に対向する位置に停止して、搬送中の原稿をスキャンする原稿移動スキャンとに兼用される。前記ＡＤＦにおける原稿の搬送経路の一部には、光透過性の材料からなる読み取り窓が設けられ、前記キャリッジにおける前記光源の光は、前記読み取り窓を通じて原稿に照射され、原稿からの反射光は、前記読み取り窓を通じて前記キャリッジのミラーに戻る。
【０００９】
前記ＡＤＦを備えた複写機において、前記キャリッジは、前記原稿移動スキャンを速やかに開始できるよう、待機状態において、前記ＡＤＦにおける前記読み取り窓に対向する位置に停止されている。以下、前記ＡＤＦにおける原稿の搬送経路の一部に設けられた前記読み取り窓に対向する前記キャリッジの位置のことを、ＡＤＦ位置と称する。
【００１０】
前記ＡＤＦにおける原稿の搬送経路の前記読み取り窓に対向する部分には、前記参照面が形成されている。原稿の搬送経路の前記読み取り窓に対向する部分は、原稿が前記ＡＤＦ内で搬送されていないときに、前記ＡＤＦ位置にある前記キャリッジの前記光源からの光が前記読み取り窓を通過して到達する部分である。これにより、前記キャリッジが、待機位置である前記ＡＤＦ位置に存在するときに、前記キャリッジを移動させることなく速やかに前記ランプチェックを行うことが可能となる。なお、前記ＡＤＦにおいて前記参照面が形成された部材は、特許文献１において、白原稿ガイド板２９として示されている。
【００１１】
また、複写機は、反転コピー機能及び集約コピー機能などの応用コピー機能を備えている。前記反転コピー機能は、原稿の画像を表裏反転させた画像をシート材に出力する機能である。前記集約コピー機能は、複数の原稿の画像を縮小して並べた画像を１枚のシート材に出力する機能である。このような応用コピー機能の多くは、１枚又は複数枚の原稿についての前記原稿スキャン処理が完了し、必要な画像データが全て揃って初めて、前記プリント処理が可能となる。そのため、複写機は、通常のコピー処理において、１枚又は複数枚の原稿についての前記原稿スキャン処理によって得られる画像データを符号化により圧縮してメモリに蓄積し、その後、その画像データを復号化して得られるデータに基づいて前記プリント処理を実行する。
【００１２】
一方、複写機においては、ＦＣＯＴ（First Copy Output Time）が、性能の指標として重要視される。ＦＣＯＴとは、コピー開始操作が検知された時点から、最初のコピー済みシート材が出力されるまでの時間である。複写機は、ＦＣＯＴを短縮するため、前記通常のコピー処理とは異なる高速コピー処理を実行する機能を備えている。前記高速コピー処理においては、前記画像読み取り部による前記原稿スキャン処理と、前記画像形成部による前記プリント処理とが並行して行われる。前記高速コピー処理により、原稿１ページ分の前記原稿スキャン処理の完了を待つことなくシート材の搬送が開始されるため、ＦＣＯＴが短くなる。
【００１３】
また、前記高速コピー処理においては、前記原稿スキャン処理によって得られる画像データが、符号化されずにメモリに記録され、前記プリント処理は、その符号化されていない画像データを用いて実行される。これにより、符号化及び復号化の時間が省略され、コピー処理を高速化できる。
【先行技術文献】
【特許文献】
【００１４】
【特許文献１】特開２００８−１０９６５２号公報
【発明の概要】
【発明が解決しようとする課題】
【００１５】
ところで、前記原稿カバーは、コピー開始時点において完全に閉じられていることが原則であるが、前記原稿カバーが完全に閉じられていない状態でコピー開始操作がなされることもある。例えば、本などの厚みの大きな原稿が前記原稿台に載置された状態でコピーが行われる場合、及び、利用者が、前記原稿台に載置された原稿を厚みの大きな物（手など）で押さえながらコピーが行われる場合などが考えられる。
【００１６】
前記キャリッジが前記ＡＤＦ位置に停止した状態で前記ランプチェックが行われる場合、前記原稿カバーが完全に閉じられていなければ、前記光源が正常であっても、前記光源の異常が検知されてしまう。即ち、前記キャリッジが前記ＡＤＦ位置に停止した状態での前記ランプチェックにおいて、正常なチェック結果は、前記光源が正常であることを意味するが、非正常なチェック結果は、必ずしも前記光源が異常であることを意味しないという問題点があった。
【００１７】
一方、前記原稿カバーの開閉によって変位しない部分に固定の参照面が設けられ、その固定の参照面に対向する位置に前記キャリッジが停止した状態で、前記ランプチェックが行われることが考えられる。しかしながら、その場合、前記ランプチェックの実行ごとに、前記キャリッジを前記ＡＤＦ位置と前記固定の参照面に対向する位置との間で移動させることが必要となる。そのため、原稿カバーが閉じられているときでさえ、前記原稿スキャン処理を速やかに開始できないという問題点があった。
【００１８】
また、上記問題点は、前記高速コピー処理が行われる場合に特に顕著となる。即ち、前記ランプチェックを含む前記原稿スキャン処理と前記プリント処理とが並行して実行される場合、前記ランプチェックのための前記キャリッジの移動に要する時間が、必要な画像データのメモリへの記録よりも、前記プリント処理が先行するという弊害を招く。前記プリント処理が先行した場合、無画像のシート材又は必要な画像の一部が欠けたシート材が出力されてしまう。
【００１９】
本発明の目的は、複写機において、原稿カバーが閉じられているときに原稿スキャン処理の速やかな開始を損なわず、また、ＦＣＯＴの短縮のために原稿スキャン処理とプリント処理とが並行して行われる場合に画像データの記録よりもプリント処理が先行する不具合を防止しつつ、原稿スキャン用の光源の明るさチェックを可能とすることである。
【課題を解決するための手段】
【００２０】
本発明に係る複写機は、以下の各構成要素を備える。
（１）第１の構成要素は、原稿台の上側を開閉可能に支持され、自動原稿搬送装置（ＡＤＦ）が設けられた原稿カバーである。
（２）第２の構成要素は、原稿に投光する光源と前記原稿からの反射光を受光素子へ導く導光部の一部とが設けられ、前記原稿台に沿って副走査方向に移動可能に支持され、前記原稿カバーが閉じられた状態において前記自動搬送装置における前記原稿の搬送経路の一部に形成された第１の参照面に対向する第１の位置に停止して待機するキャリッジである。
（３）第３の構成要素は、前記キャリッジを制御し、前記受光素子により得られる画像データをメモリに記録する原稿スキャン処理を制御するスキャナ制御部である。
（４）第４の構成要素は、シート材を供給位置から画像形成位置を経て排出位置へ搬送し、前記画像形成位置を通過する前記シート材に対して前記メモリに記録された前記画像データに基づいて画像を形成するプリント処理を制御するプリンタ制御部である。
（５）第５の構成要素は、所定のコピー開始操作が検知されたときに、少なくとも前記原稿スキャン処理の開始前に、前記第１の位置に停止する前記キャリッジの前記光源を点灯させ、前記受光素子により検出される前記第１の参照面からの反射光の強度に基づいて前記光源の良否を検知する第１のランプチェック処理が実行されるよう前記スキャナ制御部を制御する第１ランプチェック制御部である。
（６）第６の構成要素は、前記コピー開始操作が検知されたときに、前記原稿スキャン処理の開始前に、前記第１のランプチェック処理の結果が良好であることを含む所定の高速コピー要件が満たされているか否かを判別する高速コピー要件判別部である。
（７）第７の構成要素は、前記高速コピー要件判別部によって前記高速コピー要件が満たされていると判別されたときに、前記原稿スキャン処理と前記プリント処理とが並行して行われるよう前記スキャナ制御部及び前記プリンタ制御部を制御する第１メイン制御部である。
（８）第８の構成要素は、前記第１のランプチェック処理の結果が不良であるときに、前記キャリッジを前記第１の位置から所定位置に固定された第２の参照面に対向する第２の位置へ移動させるとともに前記キャリッジの前記光源を点灯させ、前記受光素子により検出される前記第２の参照面からの反射光の強度に基づいて前記光源の良否を検知する第２のランプチェック処理が実行されるよう前記スキャナ制御部を制御する第２ランプチェック制御部である。
（９）第９の構成要素は、前記高速コピー要件判別部によって前記高速コピー要件が満たされていないと判別されたときに、前記第１のランプチェック処理の結果が良好であること、又は前記第２のランプチェック処理の結果が良好であることを要件として前記原稿スキャン処理が実行され、該原稿スキャン処理の完了後に前記プリント処理が実行されるよう、前記スキャナ制御部及び前記プリンタ制御部を制御する第２メイン制御部である。
【００２１】
また、前記第１メイン制御部により制御される前記スキャナ制御部は、前記原稿スキャン処理において前記受光素子により得られる画像データを符号化せずに前記メモリに記録することが考えられる。この場合、前記第１メイン制御部により制御される前記プリンタ制御部は、前記メモリから符号化されていない前記画像データを読み出して前記プリント処理を行うことが考えられる。さらに、前記第２メイン制御部により制御される前記スキャナ制御部は、前記原稿スキャン処理において前記受光素子により得られる画像データを符号化して前記メモリに記録することが考えられる。さらに、前記第２メイン制御部により制御される前記プリンタ制御部は、前記メモリに記録された前記画像データが復号化されたデータを用いて前記プリント処理を行うことが考えられる。
【００２２】
また、本発明に係る複写機は、前記第１メイン制御部により制御される前記スキャナ制御部によって符号化されない画像データが記録される前記メモリと、前記第２メイン制御部により制御される前記スキャナ制御部によって符号化された画像データが記録される前記メモリとを個別に備えることが考えられる。
【発明の効果】
【００２３】
本発明によれば、高速コピー処理の前と、通常コピー処理の前との両方において、それらの処理を行う要件の判別のために、原稿スキャン用の前記光源の明るさがチェックされる。ここで、前記高速コピー処理は、前記第１メイン制御部の制御下で行われる処理であり、ＦＣＯＴの短縮のために前記原稿スキャン処理と前記プリント処理とが並行して行われる処理である。また、前記通常コピー処理は、前記第２メイン制御部の制御下で行われる処理であり、前記原稿スキャン処理と前記プリント処理とが順次行われる処理である。そのため、前記光源が不良である状態のままコピー処理が行われることが防止される。
【００２４】
また、本発明によれば、前記キャリッジは、ＡＤＦにおける原稿の搬送経路に設けられた前記第１の参照面に対向する位置で待機する。そのため、前記原稿カバーが閉じられているときは、前記キャリッジの移動を伴わない迅速な前記第１のランプチェック処理によって前記光源の良否が確実に検知される。その結果、前記原稿カバーが閉じられているときには、前記コピー開始操作が検知された時点から前記原稿スキャン処理へ速やかに移行することが可能である。
【００２５】
また、本発明によれば、前記第１メイン制御部による前記高速コピー処理の前には、前記光源の良否を判別するために、前記キャリッジの位置変更に時間を要する前記第２のランプチェック処理は行われない。そのため、前記高速コピー処理が行われる場合に、画像データの記録よりもプリント処理が先行する不具合を防止できる。
【００２６】
前記スキャナ制御部及び前記プリント制御部が、符号化されない画像データを用いて前記高速コピー処理を行えば、前記高速コピー処理がより高速に実行される。一方、前記スキャナ制御部及び前記プリント制御部が、画像データの符号化による圧縮及び復号化を行いつつ前記通常コピー処理を行えば、前記メモリの容量を抑えることができる。
【００２７】
また、符号化されない画像データが記録される前記メモリ（第１メモリ）と、符号化された画像データが記録される前記メモリ（第２メモリ）とが個別に設けられることにより、以下に示す効果が得られる。即ち、前記第１メモリとしてアクセス速度の速いメモリが採用されることによって前記高速コピー処理がより高速に実行される。また、前記第２メモリとして比較的安価な大容量のメモリが採用されることにより、多様な応用コピー機能を比較的低コストで実現できる。
【図面の簡単な説明】
【００２８】
【図１】本発明の実施形態に係る複写機１の概略構成を表す断面図。
【図２】複写機１におけるキャリッジの走査範囲を下方から見た図。
【図３】複写機１におけるキャリッジの位置の変化を表すスキャナ部の断面図。
【図４】原稿カバー部が開閉される様子を表す複写機１の側面図。
【図５】複写機１における制御関連の主要部のブロック図。
【図６】複写機１における高速コピー処理の手順を表すフローチャート。
【図７】複写機１における通常コピー処理の手順を表すフローチャート。
【発明を実施するための形態】
【００２９】
以下添付図面を参照しながら、本発明の実施の形態について説明する。なお、以下の実施の形態は、本発明を具体化した一例であって、本発明の技術的範囲を限定するものではない。
【００３０】
まず、図１に示される断面図を参照しつつ、本発明の一実施形態に係る複写機１の全体構成について説明する。複写機１は、電子写真方式の複写機である。前記複写機１は、原稿から画像を読み取って画像データをメモリに記録し、シート材を給紙カセットから画像形成位置を経て排紙トレイへ搬送するとともに、画像形成位置を通過する前記シート材に対し、前記メモリに記録された画像データに基づく画像をトナー像として形成する。前記シート材は、画像が転写される紙又はＰＥＴ製シートなどの媒体である。
【００３１】
図１に示されるように、複写機１は、画像形成部１００及び画像読み取り部２００を備える。前記画像形成部１００は、給紙カセット１０１、給紙ローラ１１０、レジストローラ１２０、画像転写ユニット１３０、定着装置１４０、排紙ローラ１５０、及び排紙トレイ１０３等を備えている。なお、前記複写機１は、複写機として機能する他、さらに、プリンタ及びファクシミリ装置としても機能する、いわゆる複合機である。
【００３２】
前記画像形成部１００において、前記給紙カセット１０１は、複数枚のシート材２を収容する容器である。前記給紙ローラ１１０は、前記給紙カセット１０１に収容されたシート材２を一枚ずつ既定のシート搬送経路１０２へ送り出すローラである。前記レジストローラ１２０は、前記給紙ローラ１１０によって送り出されたシート材２を把持し、そのシート材２を所定のタイミングで前記画像転写ユニット１３０へ送り出す一対のローラである。なお、前記給紙カセット１０１の位置は、シート材２の供給位置の一例である。
【００３３】
前記画像転写ユニット１３０は、前記レジストローラ１２０から搬送されてくるシート材２をさらに後段の前記定着装置１４０へ搬送しつつ、そのシート材２にトナー画像を転写する装置である。前記画像転写ユニット１３０は、像担持体である感光体ドラム、及びその感光体ドラムの周囲に配置された複数の機器から構成される。前記感光体ドラムの周囲には、帯電装置、露光装置、現像装置、転写装置及びクリーニング装置などが配置されている。
【００３４】
前記定着装置１４０は、前記画像転写ユニット１３０から搬送されてくるシート材２をさらに後段へ搬送しつつ、そのシート材２に転写されたトナーをそのシート材２に溶着させる装置である。前記定着装置１４０は、ヒータが内包されたヒートローラとこれに圧接して従動する加圧ローラとを備え、さらに、前記ヒートローラの表面温度を検出する定着温度センサ１４１を備えている。
【００３５】
前記排紙ローラ１５０は、前記定着装置１４０から搬送されてくるシート材２を前記排紙トレイ１０３へ排出するローラである。前記排紙トレイ１０３の位置は、シート材２の排出位置である。なお、前記排紙ローラ１５０は、一方の面に画像が形成されたシート材２を、両面プリントのために反転させて搬送するターンバックローラとしても機能する。また、前記複写機１は、本体側面の一部を開閉可能に支持された開閉式シートトレイを備え、その開閉式シートトレイからシート材２を供給することも可能である。ここでは、両面プリント及び開閉式シートトレイについての説明は省略する。
【００３６】
前記画像読み取り部２００は、原稿から画像を読み取って画像データを生成し、その画像データをメモリに記録する装置である。前記画像読み取り部２００は、各々ユニット化された原稿カバー部２１０及びスキャナ部２２０を備えている。
【００３７】
前記画像読み取り部２００における下側のユニットである前記スキャナ部２２０は、原稿台２２１、第１読み取り窓２２２、シェーディング補正板２２３、第１キャリッジ２４０、第２キャリッジ２５０、集光レンズ２６０、受光素子２７０及びキャリッジ走査機構２８０を備えている。一方、前記画像読み取り部２００における上側のユニットである前記原稿カバー２１０は、原稿トレイ２１１、原稿排出トレイ２１２、原稿押さえ部２１３及びＡＤＦ２３０が設けられている。前記ＡＤＦ２３０は、その内側に原稿搬送路２３１が形成され、原稿供給機構２３２、原稿搬送ローラ２３３、第２読み取り窓２３４及び原稿排出ローラ２３５を備えている。
【００３８】
図４は、前記原稿カバー部２１０が開閉される様子を表す前記複写機１の側面図である。図４（ａ）は、前記原稿カバー部２１０が閉じられた状態、図４（ｂ）は、前記原稿カバー部２１０が開かれた状態を示す。図４に示されるように、前記複写機１の本体の奥側に設けられたヒンジ２１９は、前記原稿カバー部２１０を回動可能に支持する。これにより、前記ＡＤＦ２３０が設けられた前記原稿カバー部２１０は、前記原稿台２２１の上側を開閉可能に支持されている。
【００３９】
また、前記原稿カバー部２１０には、前記原稿カバー部２１０の開状態及び閉状態を検知する開閉センサ２９０が設けられている。前記開閉センサ２９０は、例えば、押しボタンスイッチ又はリミットスイッチなどである。なお、前記複写機１の本体には、コピーのスタートボタンなどを含む操作部３１１と、各種の情報を表示する表示部３１２とが設けられている。
【００４０】
図１に示される前記ＡＤＦ２３０において、前記原稿供給機構２３２は、前記原稿トレイ２１１に載置された原稿を１枚ずつ前記原稿搬送路２３１に供給する。前記原稿搬送ローラ２３３は、前記原稿供給機構２３２から引き継いで、前記原稿搬送路２３１に沿って原稿を搬送する。さらに、前記原稿排出ローラ２３５は、前記原稿搬送ローラ２３３により送られた原稿を前記原稿排出トレイ２１２へ排出する。
【００４１】
前記原稿搬送路２３１の一部には、原稿搬送ガイドの一部として、ガラス板などの透光性の部材である前記第２読み取り窓２３４が設けられている。また、前記第２読み取り窓２３４に対向する前記スキャナ部２２０の部分には、ガラス板などの透光性の部材である前記第１読み取り窓２２２が設けられている。さらに、前記原稿搬送路２３１における、前記第２読み取り窓２３４に対し原稿の通過経路を挟んで対向する部分に、原稿搬送ガイドを兼ねる参照板２３６が設けられている。前記参照板２３６の下面は、前記光源２４１の光を反射するよう白色、薄い黄色又は薄い灰色などの均一な色を有している。なお、前記参照板２３６の下面は、前記第１の参照面の一例である。
【００４２】
図２は、前記第１キャリッジ２４０の走査範囲を下方から見た図である。図２において、上下方向が主走査方向、左右方向が副走査方向である。また、図２において、前記第１キャリッジ２４０の走査範囲の一部は記載が省略されている。図２に示されるように、前記第１キャリッジ２４０は、副走査方向において、前記原稿台２２１の全範囲及びその隣りにおける前記ＡＤＦ２３０の下方に位置する範囲に渡って移動可能に支持されている。前記ＡＤＦ２３０の下方に相当する範囲内における、前記第２読み取り窓２３４に対向する位置には、透光性の部材である前記第１読み取り窓２２２が設けられている。
【００４３】
また、前記原稿台２２１と前記第１読み取り窓２２２との間には、前記シェーディング補正板２２３が固定されている。このシェーディング補正板２２３の表面も、白色、薄い黄色又は薄い灰色などの均一な色を有している。なお、前記シェーディング補正板２２３の表面は、前記第２の参照面の一例である。
【００４４】
以下、再び図１を参照する。前記原稿台２２１は、ガラス板などの透光性の部材であり、その上に原稿が載置される。前記第１キャリッジ２４０は、主走査方向に伸びて形成された光源２４１及び第１ミラー２４２が一体化されたユニットである。前記光源２４１は、前記原稿台２２１に載置された原稿に対し下方から投光する。また、前記第１ミラー２４２は、前記原稿からの反射光を前記受光素子２７０へ導く導光用の光学系の一部である。なお、図１において、奥行き方向が主走査方向である。
【００４５】
前記第１キャリッジ２４０は、前記キャリッジ走査機構２８０により、前記原稿台２２１の下面に沿って副走査方向に往復移動可能に支持されている。前記副走査方向は、前記主走査方向に直交する方向であり、図１においては左右の方向である。前記第１キャリッジ２４０における前記光源２４１の光は、前記原稿台２２１を透過して原稿に反射し、原稿からの反射光は、前記第１キャリッジ２４０における前記第１ミラー２４２によって変向され、さらに、２つの第２ミラー２５１，２５２を経て前記受光素子２７０へ導かれる。前記受光素子２７０に至る光路には、前記集光レンズ２６０が配置されている。原稿からの反射光には、原稿の画像の情報が含まれている。
【００４６】
前記第２キャリッジ２５０は、前記第１ミラー２４２で反射された光を変向して前記受光素子２７０へ導く２つの第２ミラー２５１，２５２が一体化されたユニットである。前記第２キャリッジ２５０は、前記キャリッジ走査機構２８０によって副走査方向に往復移動可能に支持されている。前記第２キャリッジ２５０は、前記第１ミラー２４２から前記受光素子２７０までの光路長を一定に保持するように、副走査方向において前記第１キャリッジ２４０に連動する。より具体的には、前記第２キャリッジ２５０は、副走査方向において、前記第１キャリッジ２４０の移動に対し、同じ方向へ半分の速度で移動する。
【００４７】
図３は、前記第１キャリッジ２４０及び前記第２キャリッジ２５０の位置の変化を表す前記スキャナ部２２０の断面図である。図３（ａ）に示されるように、前記第１キャリッジ２４０は、前記第１読み取り窓２２２に対向する第１の位置に停止して待機する。この第１の位置は、前記原稿カバー部２１０が閉じられた状態において、前記ＡＤＦ２３０における前記原稿搬送路２３１の一部に形成された前記参照板２３６の下面に対向する位置である。この第１の位置が、前記第１キャリッジ２４０のホームポジションである。
【００４８】
前記第１の位置は、前記原稿スキャン処理行われるときの前記第１キャリッジ２４０の初期位置である。読み取り画像の品質を高めるためには、前記第１キャリッジ２４０は、高い精度で前記初期位置に位置決めされる必要がある。そのため、本複写機１は、前記第１キャリッジ２４０が前記第１の位置に存在することを検知する不図示のセンサを備え、前記キャリッジ走査機構２８０は、そのセンサの検出結果に基づいて、前記第１キャリッジ２４を前記第１の位置に位置決めする。
【００４９】
前記第１キャリッジ２４０が前記第１の位置に停止している状態で前記光源２４１が点灯したとき、前記受光素子２７０で検出される光の強度は、前記原稿カバー部２１０が閉じられている場合と前記原稿カバー部２１０が開かれている場合とで大きく異なる。前記原稿カバー部２１０が閉じられている場合、前記光源２４１の光は、前記第１読み取り窓２２２及び前記第２読み取り窓２３４を通過して前記参照板２３６の下面で反射する。その反射光は、前記第１ミラー２４２などを経て前記受光素子２７０に入射する。そのため、前記受光素子２７０において、前記光源２４１の光の明るさに相当する光強度が検出される。
【００５０】
一方、前記原稿カバー部２１０が開かれている場合、前記光源２４１の光は、前記第１読み取り窓２２２を通過して装置外部へ放射され、前記受光素子２７０へ到達しない。そのため、前記受光素子２７０による光の検出強度は、ゼロに近いごく低いレベルとなる。以上のことより、前記第１キャリッジ２４０が前記第１の位置に停止している状態においては、前記原稿カバー部２１０が閉じられている場合にのみ、ランプチェック処理の結果は正しい結果を示す。
【００５１】
また、図３（ｂ）に示されるように、前記第１キャリッジ２４０は、前記キャリッジ走査機構２８０により、前記第１の位置と前記原稿台２２１に対向する位置との間の前記シェーディング補正板２２３に対向する第２の位置に位置決めされる場合もある。前述したように、前記シェーディング補正板２２３の表面は、前記第２の参照面の一例である。
【００５２】
前記第１キャリッジ２４０が前記第２の位置に停止している状態で前記光源２４１が点灯したとき、前記受光素子２７０で検出される光の強度は、前記原稿カバー部２１０が閉じられている場合と前記原稿カバー部２１０が開かれている場合とでほぼ同じである。従って、前記第１キャリッジ２４０が前記第２の位置に停止している状態においては、前記原稿カバー部２１０の状態に関わらず、ランプチェック処理の結果は正しい結果を示す。
【００５３】
また、図３（ｃ）に示されるように、前記第１キャリッジ２４０は、前記キャリッジ走査機構２８０により、前記原稿台２２１に載置された原稿３を走査するために、前記原稿台２２１の下方の範囲において移動される。
【００５４】
以上のことから、前記ランプチェック処理が、常に、前記第１キャリッジ２４０が前記第２の位置に存在する状態で行われることが考えられる。その場合、前記原稿スキャン処理が行われるごとに、前記第１キャリッジ２４０の移動が必要となり、速やかな前記原稿スキャン処理が損なわれ、ＦＣＯＴの短縮にも反する。
【００５５】
また、前記開閉センサ２９０により、前記原稿カバー部２１０が開かれていることが検知されている場合、前記ランプチェック処理を行わないことも考えられる。その場合、前記光源２４１が不良であるにも関わらずコピー処理が実行されてしまう可能性があり、現像剤やシート材が無駄に消費されてしまうという問題が生じる。そこで、前記複写機１は、状況に応じた前記ランプチェック処理を行う。その詳細な説明は、この明細書の後段において記載されている。
【００５６】
次に、図５に示されるブロック図を参照しつつ、前記複写機１における制御関連の主要部の構成について説明する。図５に示されるように、前記複写機１は、メイン制御部３１０、操作部３１１、表示部３１２、第１画像メモリ３１３、第２画像メモリ３１４、スキャナ制御部３２０、プリンタ制御部３３０、ファクシミリ制御部３４０及びネットワーク制御部３５０などを備えている。
【００５７】
前記操作部３１１は、コピー開始のイベントを発生するスタートボタン３１１１、その他の操作ボタン及びタッチパネルなどからなり、情報入力のために利用者によって操作されるデバイスである。前記表示部３１２は、液晶パネル及びＬＥＤランプなどからなり、各種情報を表示するデバイスである。
【００５８】
前記第１画像メモリ３１３は、符号化されていない画像データが記録されるメモリであり、ＲＡＭ（Random Access Memory）などの高速でアクセス可能なメモリである。前記第２画像メモリ３１４は、符号化によって圧縮された画像データが記録されるメモリである。前記第２画像メモリ３１４は、前記第１画像メモリ３１３に比べてアクセス可能な速度が低速であるが、前記第１画像メモリ３１３よりも大容量のメモリである。前記第２画像メモリ３１４は、例えば、フラッシュメモリなどである。
【００５９】
前記スキャナ制御部３２０は、前記第１キャリッジ２４０の動き及び前記第１キャリッジ２４０における前記光源２４１の点灯及び消灯を制御するプロセッサである。さらに、前記スキャナ制御部３２０は、前記受光素子２７０により得られる画像データを前記第１画像メモリ３１３及び前記第２画像メモリ３１４の一方又は両方に記録する。即ち、前記スキャナ制御部３２０は、原稿スキャン処理を制御するプロセッサである。前記原稿スキャン処理は、前記第１キャリッジ２４０によって原稿３を走査して画像を読み取りつつ、その画像のデータを前記第１画像メモリ３１３及び前記第２画像メモリ３１４の一方又は両方に記録する処理である。
【００６０】
また、前記プリンタ制御部３３０は、前記給紙ローラ１１０、前記レジストローラ１２０、前記画像転写ユニット１３０、前記定着装置１４０及び前記排紙ローラ１５０などを制御するプロセッサである。即ち、前記プリンタ制御部３３０は、プリント処理を制御するプロセッサである。前記プリント処理は、前記画像読み取り部２００によって前記第１画像メモリ３１３又は前記第２画像メモリ３１４に記録された画像データ、又は外部装置から得られた画像データに基づいて、シート材２に画像を形成する処理である。
【００６１】
前記ファクシミリ制御部３４０は、電話回線を通じて他のファクシミリ装置とファクシミリデータの送受信を行うプロセッサである。例えば、前記ファクシミリ制御部３４０は、不図示のＮＣＵ（Network Control Unit）及びモデムを制御することにより、相手局へのダイヤルアップ処理及び相手局との間で通信方法を決定するネゴシエーション処理などを行う。
【００６２】
前記ネットワーク制御部３５０は、例えば、標準規格であるＩＥＥＥ８０２．３に準拠したＬＡＮ（Local Area Network）及びインターネットなどのネットワークを通じて、パーソナルコンピュータなどの外部装置との間でデータの送受信を行うプロセッサである。
【００６３】
前記メイン制御部３１０は、前記操作部３１１に対する操作入力の検知、前記表示部３１２に対する表示情報の出力、及び他の制御部３２０，３３０，３４０，３５０の制御を行うプロセッサである。前記メイン制御部３１０が、前記スキャナ制御部３２０及び前記プリンタ制御部３３０を制御することにより、コピー処理が実行される。また、前記複写機１は、プリンタとして機能する場合、前記画像読み取り部２００による前記原稿スキャン処理の代わりに、前記ネットワーク制御部３５０が、外部の計算機からの画像データの受信処理を実行する。同様に、前記複写機１は、ファクシミリ装置として受信処理を行う場合、前記画像読み取り部２００による前記原稿スキャン処理の代わりに、前記ファクシミリ制御部３４０が、電話回線を通じて他のファクシミリ装置からの着信処理及び画像データの受信処理を実行する。
【００６４】
前記複写機１は、前記スタートボタン３１１１の操作が検知された場合に、状況に応じて、通常コピー処理を行う場合と、高速コピー処理を行う場合とがある。前記通常コピー処理は、１枚又は複数枚の原稿３についての前記原稿スキャン処理によって得られる画像データを符号化により圧縮して前記第２画像メモリ３１４に蓄積し、前記スキャン処理の完了後に、前記第２画像メモリ３１４に蓄積された画像データを復号化して得られるデータに基づいて前記プリント処理を実行する処理である。
【００６５】
一方、前記高速コピー処理は、ＦＣＯＴをより短縮するためのコピー処理である。前記高速コピー処理においては、前記スキャナ部２２０による前記原稿スキャン処理と、前記画像形成部１００による前記プリント処理とが並行して行われる。前記高速コピー処理により、原稿３の１ページ分についての前記原稿スキャン処理の完了を待つことなくシート材２の搬送が開始されるため、ＦＣＯＴが短くなる。また、前記高速コピー処理においては、前記原稿スキャン処理によって得られる画像データが、符号化されずに前記第１画像メモリ３１３に記録される。そして、前記プリント処理において、その符号化されていない画像データが用いられる。これにより、符号化及び復号化の時間が省略され、コピー処理を高速化できる。
【００６６】
次に、図６及び図７に示されるフローチャートを参照しつつ、前記複写機１が実行するコピー処理の手順の一例について説明する。前記コピー処理は、前記メイン制御部３１０が、前記スキャナ制御部３２０及び前記プリンタ制御部３３０を制御することによって実現される。また、前記メイン制御部３１０は、所定の制御プログラムを実行することにより、前記コピー処理を実現する。以下の説明において、Ｓ１１，Ｓ１２，…，Ｓ６４は、処理の手順の識別符号を表す。また、前記コピー処理は、前記メイン制御部３１０が、前記スタートボタン３１１１の押下操作を検知したときに開始される。
【００６７】
まず、図６を参照しつつ、前記スタートボタン３１１１の操作が検知されてから前記高速コピー処理が実行される場合の処理の手順について説明する。前記スタートボタン３１１１の操作が検知されると、まず、前記メイン制御部３１０は、前記スタートボタン３１１１が操作される前に利用者によって設定されたコピー条件が、予め定められた第１の高速コピー要件を満たすか否かを判別する（Ｓ１１）。前記第１の高速コピー要件は、コピー条件が、原稿３の１ページ分の画像読み取りの完了を待つことなく、前記プリント処理を開始できる条件に設定されていることである。例えば、コピー条件の設定に、反転コピー、回転コピー及び集約コピーなどの応用コピーの設定が含まれていないことが、前記第１の高速コピー要件の一例である。
【００６８】
さらに、前記メイン制御部３１０は、前記画像形成部１００の状態が、第２の高速コピー要件を満たすか否かを判別する（Ｓ１２）。前記第２の高速コピー要件は、前記画像形成部１００が、即座に前記プリント処理を実行可能な状態であることである。前記第２の高速コピー要件の具体例は、前記定着温度センサ１４１の検出温度が、予め設定された下限温度以上であることである。前記定着装置１４０は、その温度を画像の定着に必要な温度に上げるまでに比較的長い時間を要する。そのため、前記定着温度センサ１４１の検出温度が十分に高いことが、前記高速コピー処理の要件に含まれている。
【００６９】
そして、前記第１の高速コピー要件及び前記第２の高速コピー要件の両方が満たされている場合、前記メイン制御部３１０は、前記スキャナ制御部３２０に対してランプチェック指令を出力する（Ｓ１３）。前記ランプチェック指令は、ランプチェック処理の実行を要求する指令である。さらに、前記メイン制御部３１０は、そのランプチェック処理の結果を前記スキャナ制御部３２０から入力する（Ｓ１３）。前記ランプチェック指令の出力は、前記スキャナ制御部３２０に対して前記原稿スキャン処理の開始指令が出力される前に実行される。
【００７０】
一方、前記スキャナ制御部３２０は、前記メイン制御部３１０から前記ランプチェック指令が入力されることを監視し（Ｓ２１）、前記ランプチェック指令が入力されると、以下に示す第１ランプチェック処理を実行する（Ｓ２２）。さらに、前記スキャナ制御部３２０は、前記第１ランプチェック処理の結果を前記メイン制御部３１０に出力する（Ｓ２２）。
【００７１】
前記第１ランプチェック処理は、前記第１の位置に停止する前記第１キャリッジ２４０の前記光源２４１を点灯させ、それによって前記受光素子２７０により検出される前記参照板２３６の下面からの反射光の強度に基づいて、前記光源２４１の良否を検知する処理である。前記参照板２３６の下面からの反射光の強度が、予め設定された適正範囲内である場合、前記光源２４１が正常（良好）であると判別され、それ以外の場合は前記光源２４１が非正常（良好でない）と判別される。なお、前記第１の位置は、図３（ａ）に示される前記第１キャリッジ２４０の停止位置である。
【００７２】
一方、前記第１ランプチェック処理の結果が入力されると、前記メイン制御部３１０は、前記スキャナ部２２０の状態が第３の高速コピー要件を満たすか否かを判別する（Ｓ１４）。前記第３の高速コピー要件は、以下の３つの要件を必須要件として含む。第１の要件は、前記第１ランプチェック処理の結果が良好であることである。第２の要件は、前記第１キャリッジ２４０が前記第１の位置に停止していることである。第３の要件は、前記第１画像メモリ３１３の空き容量が、予め設定された下限サイズ以上であることである。
【００７３】
そして、前記第１の高速コピー要件から前記第３の高速コピー要件までの全てが満たされていると判別された場合、前記メイン制御部３１０は、前記スキャナ制御部３２０に対し、高速コピー用の画像スキャン指令を出力する（Ｓ１５）。さらに、前記メイン制御部３１０は、画像スキャン指令の出力に続いて、若干の待ち時間の後に、前記プリンタ制御部３３０に対して高速コピー用のプリント指令を出力する（Ｓ１６）。
【００７４】
一方、前記スキャナ制御部３２０は、前記メイン制御部３１０から前記高速コピー用の画像スキャン指令が入力されることを監視し（Ｓ２３）、前記高速コピー用の画像スキャン指令が入力されると、前記第１画像メモリ３１３を用いて前記原稿スキャン処理を実行する（Ｓ２４，Ｓ２５）。
【００７５】
前記原稿スキャン処理において、前記スキャナ制御部３２０は、まず、前記第１画像メモリ３１３において所定サイズの予約領域を確保する（Ｓ２４）。続いて、前記スキャナ制御部３２０は、前記第１画像メモリ３１３を用いた前記原稿スキャン処理を実行する（Ｓ２５）。具体的には、前記スキャナ制御部３２０は、前記キャリッジ走査機構２８０を制御することにより、前記第１キャリッジ２４０を前記原稿台２２１に沿って副走査方向に移動させる。そして、前記スキャナ制御部３２０は、前記原稿台２２１に載置された原稿３を前記第１キャリッジ２４０によって走査して画像を読み取りつつ、その画像のデータを前記第１画像メモリ３１３に記録する。その際、前記スキャナ制御部３２０は、前記受光素子２７０によって得られた画像データを符号化せずに前記第１画像メモリ３１３に記録する。
【００７６】
また、前記プリンタ制御部３３０は、前記メイン制御部３１０から前記高速コピー用のプリント指令が入力されることを監視し（Ｓ３１）、前記高速コピー用のプリント指令が入力されると、前記第１画像メモリ３１３を用いて前記プリント処理を実行する（Ｓ３２，Ｓ３３）。
【００７７】
前記プリント処理において、前記プリンタ制御部３３０は、まず、前記給紙ローラ１１０及び前記レジストローラ１２０を制御することにより、前記給紙カセット１０１から前記画像転写ユニット１３０及び前記定着装置１４０の位置へのシート材２の搬送を開始する（Ｓ３２）。さらに、前記プリンタ制御部３３０は、前記画像転写ユニット１３０及び前記定着装置１４０を制御することによって前記プリント処理を実行する（Ｓ３３）。このプリント処理は、ステップＳ２５における前記原稿スキャン処理が開始された後、その原稿スキャン処理が完了する前に開始される。前記メイン制御部３１０は、そのようなタイミングでステップＳ３３のプリント処理が開始されるように、前記画像スキャン指令の出力（Ｓ１５）から前記プリント指令の出力（Ｓ１６）の待ち時間を調整する。
【００７８】
また、ステップＳ３３において、前記プリンタ制御部３３０は、前記スキャナ部２２０によって前記第１画像メモリ３１３に記録された画像データに基づいて、前記プリント処理を行う。前記第１画像メモリ３１３に記録される画像データは、符号化及び復号化は行われない。このプリント処理により、前記画像転写ユニット１３０及び前記定着装置１４０を通過するシート材２に対してトナー画像が形成される。
【００７９】
そして、ステップＳ３３の前記プリント処理が完了すると、前記プリンタ制御部３３０は、前記第１画像メモリ３１３において確保している記憶領域を開放する（Ｓ３４）。
【００８０】
また、前記第１の高速コピー要件から前記第３の高速コピー要件までの３つの要件のうちの１つ以上が満たされていないと判別された場合、前記メイン制御部３１０は、前記通常コピー処理の制御を行う（Ｓ１７）。
【００８１】
以下、図７のフローチャートを参照しつつ、ステップＳ１７における前記通常コピー処理の手順について説明する。前記第１の高速コピー要件から前記第３の高速コピー要件までの３つの要件のうちの１つ以上が満たされていない場合、前記メイン制御部３１０は、前記スキャナ制御部３２０に対し、通常コピー用の画像スキャン指令を出力する（Ｓ４１）。
【００８２】
一方、前記スキャナ制御部３２０は、前記メイン制御部３１０から前記通常コピー用の画像スキャン指令が入力されることを監視する（Ｓ５１）。そして、前記通常コピー用の画像スキャン指令が入力されると、前記スキャナ制御部３２０は、前記第１ランプチェック処理を実行し、そのチェック結果を前記メイン制御部３１０に出力する（Ｓ５２）。さらに、前記スキャナ制御部３２０は、前記第１ランプチェック処理の結果が良好であるか否かを判別する（Ｓ５３）。
【００８３】
前記第１ランプチェック処理の結果が良好ではない場合、前記スキャナ制御部３２０は、以下に示す第２ランプチェック処理を実行し、そのチェック結果を前記メイン制御部３１０に出力する（Ｓ５４）。前記第２ランプチェック処理は、前記第１キャリッジ２４０を前記第２の位置に移動させるとともに、前記第１キャリッジ２４０の前記光源２４１を点灯させ、前記受光素子２７０により検出される光の強度に基づいて前記光源２４１の良否を判別する処理である。この第２ランプチェック処理において検出される光の強度は、前記シェーディング補正板２２３の表面からの反射光の強度である。なお、前記第２の位置は、図３（ｂ）に示される前記第１キャリッジ２４０の位置である。前記第２ランプチェック処理は、前記第１ランプチェック処理の結果が良好である場合には実行されない。
【００８４】
前記第２ランプチェック処理が実行された後、前記スキャナ制御部３２０は、前記第２ランプチェック処理の結果が良好であるか否かを判別する（Ｓ５５）。そして、前記スキャナ制御部３２０は、前記第１ランプチェック処理（Ｓ５２）の結果が良好であること、又は前記第２ランプチェック処理（Ｓ５４）の結果が良好であることを要件として、前記第２画像メモリ３１４を用いた前記原稿スキャン処理を実行する（Ｓ５６，Ｓ５７）。
【００８５】
前記原稿スキャン処理において、前記スキャナ制御部３２０は、まず、前記第２画像メモリ３１４において所定サイズの予約領域を確保する（Ｓ５６）。続いて、前記スキャナ制御部３２０は、前記第２画像メモリ３１４を用いた前記原稿スキャン処理を実行する（Ｓ５７）。具体的には、前記スキャナ制御部３２０は、前記キャリッジ走査機構２８０を制御することにより、前記第１キャリッジ２４０を前記原稿台２２１に沿って副走査方向に移動させる。そして、前記スキャナ制御部３２０は、前記原稿台２２１に載置された原稿３を前記第１キャリッジ２４０によって走査して画像を読み取りつつ、その画像のデータを前記第２画像メモリ３１４に記録する。その際、前記スキャナ制御部３２０は、前記受光素子２７０によって得られた画像データを符号化することによって圧縮し、符号化後のデータを前記第２画像メモリ３１４に記録する。
【００８６】
そして、ステップＳ５７の前記原稿スキャン処理が完了すると、前記スキャナ制御部３２０は、前記メイン制御部３１０に対して完了通知を出力する（Ｓ５８）。
【００８７】
一方、前記メイン制御部３１０は、ステップＳ４１の処理の後、前記スキャナ制御部３２０からランプチェック処理の結果を入力する（Ｓ４２）。そして、前記メイン制御部３１０は、前記スキャナ制御部３２０から得たランプチェック処理の結果に基づいて、その結果が良好であるか否かを判別する（４３）。ここで、前記メイン制御部３１０は、前記第１ランプチェック処理（Ｓ５２）の結果、及び前記第２ランプチェック処理（Ｓ５４）の結果の少なくとも一方が良好である場合に、ランプチェック処理の結果は良好であると判別する。
【００８８】
そして、ランプチェック処理の結果が良好であると判別されると、前記メイン制御部３１０は、前記スキャナ制御部３２０から前記通常スキャン処理の完了通知が入力されることを監視する（Ｓ４４）。前記通常スキャン処理の完了通知が入力されると、前記メイン制御部３１０は、前記プリンタ制御部３３０に対して通常コピー用のプリント指令を出力する（Ｓ４５）。
【００８９】
また、前記プリンタ制御部３３０は、前記メイン制御部３１０から前記通常コピー用のプリント指令が入力されることを監視し（Ｓ６１）、前記通常コピー用のプリント指令が入力されると、前記第２画像メモリ３１４を用いて前記プリント処理を実行する（Ｓ６２，Ｓ６３）。但し、前記プリンタ制御部３３０は、前記定着温度センサ１４１の検出温度が所定の設定温度以上であることを要件として、前記プリント処理（Ｓ６２，Ｓ６３）を実行する。前記定着温度センサ１４１の検出温度が前記設定温度未満である場合、前記プリンタ制御部３３０は、前記検出温度が前記設定温度以上となるまで待って前記プリント処理（Ｓ６２，Ｓ６３）を実行する。
【００９０】
前記プリント処理において、前記プリンタ制御部３３０は、ステップＳ３２の処理と同様に、前記給紙カセット１０１から前記画像転写ユニット１３０及び前記定着装置１４０の位置へのシート材２の搬送を開始する（Ｓ６２）。さらに、前記プリンタ制御部３３０は、前記画像転写ユニット１３０及び前記定着装置１４０を制御することによって前記プリント処理を実行する（Ｓ６３）。このプリント処理は、ステップＳ５７における前記原稿スキャン処理が完了した後に開始される。
【００９１】
また、ステップＳ６３において、前記プリンタ制御部３３０は、前記スキャナ部２２０によって前記第２画像メモリ３１３に記録された画像データを復号化し、復号化後のデータに基づいて前記プリント処理を行う。このプリント処理により、前記画像転写ユニット１３０及び前記定着装置１４０を通過するシート材２に対してトナー画像が形成される。
【００９２】
そして、ステップＳ６３の前記プリント処理が完了すると、前記プリンタ制御部３３０は、前記第２画像メモリ３１４において確保している記憶領域を開放する（Ｓ６４）。
【００９３】
一方、ステップＳ４３において前記ランプチェック処理の結果が不良であると判別された場合、前記メイン制御部３１０は、前記プリンタ制御部３３０に対してプリント指令を出力することなく、所定のエラー処理を実行する（Ｓ４６）。このエラー処理において、前記光源２４１に異常がある旨の通知が、前記表示部３１２及び不図示の警報音出力部を通じて出力される。
【００９４】
以上に示したように、前記メイン制御部３１０は、コピー開始を示す前記スタートボタン３１１１の操作が検知されたときに、前記原稿スキャン処理の開始前に前記第１ランプチェック処理が実行されるよう前記スキャナ制御部３２０を制御する（Ｓ１３：第１ランプチェック制御）。
【００９５】
さらに、前記メイン制御部３１０は、前記スタートボタン３１１１の操作が検知されたときに、前記原稿スキャン処理の開始前に、前記第１ランプチェック処理の結果が良好であることを含む３つの前記高速コピー要件が満たされているか否かを判別する（Ｓ１１，Ｓ１２，Ｓ１４：高速コピー要件の判別）。
【００９６】
さらに、前記メイン制御部３１０は、３つの前記高速コピー要件が全て満たされていると判別されたときに、前記原稿スキャン処理と前記プリント処理とが並行して行われるよう前記スキャナ制御部及び前記プリンタ制御部を制御する（Ｓ１５，Ｓ１６：第１メイン制御）。
【００９７】
さらに、前記メイン制御部３１０は、前記第１ランプチェック処理の結果が不良であるときに、前記キャリッジを前記第１の位置から前記第２の位置へ移動させ、前記第２ランプチェック処理が実行されるよう前記スキャナ制御部３２０を制御する（Ｓ４１：第２ランプチェック制御）。即ち、前記通常コピー用の画像スキャン指令は、前記第１ランプチェック処理の結果が不良であるときに、前記第２ランプチェック処理を実行するよう指示する指令としても兼用されている。
【００９８】
さらに、前記メイン制御部３１０は、前記高速コピー要件が満たされていないと判別されたときに、前記第１ランプチェック処理の結果が良好であること、又は前記第２ランプチェック処理の結果が良好であることを要件として、前記原稿スキャン処理と前記プリント処理とが順次実行されるよう前記スキャナ制御部３２０及び前記プリンタ制御部３３０を制御する（Ｓ１１〜Ｓ１４，Ｓ１７，Ｓ４１〜Ｓ４５：第２メイン制御）。この場合、前記原稿スキャン処理の完了後に前記プリント処理が実行される。
【００９９】
前記複写機１においては、前記高速コピー処理の前と、前記通常コピー処理の前との両方において、それらの処理を行う要件の判別のために、前記光源２４１の明るさがチェックされる（Ｓ２２，Ｓ５２，Ｓ５４）。そのため、前記光源２４１が不良である状態のままコピー処理が行われることが防止される。
【０１００】
また、前記複写機１においては、前記第１キャリッジ２４０は、前記ＡＤＦにおける前記原稿搬送路２３１に設けられた前記参照板２３６に対向する位置で待機する。そのため、前記原稿カバー部２１０が閉じられているときは、前記第１キャリッジ２４０の移動を伴わない迅速な前記第１ランプチェック処理によって前記光源２４１の良否が確実に検知される。その結果、前記原稿カバー部２１０が閉じられているときには、前記スタートボタン３１１１の操作が検知された時点から前記原稿スキャン処理へ速やかに移行することが可能である。
【０１０１】
また、前記複写機１においては、前記高速コピー処理の前には、前記第１キャリッジ２４０の位置変更に時間を要する前記第２ランプチェック処理は行われない。そのため、前記高速コピー処理が行われる場合に、画像データの記録よりも前記プリント処理が先行する不具合を防止できる。
【０１０２】
また、前記複写機１においては、前記高速コピー処理が、符号化されない画像データを用いて行われる。その結果、前記高速コピー処理がより高速に実行される。一方、前記通常コピー処理は、画像データの符号化による圧縮及び復号化を行いつつ実行されるため、必要なメモリ容量を抑えることができる。
【０１０３】
また、符号化されない画像データが記録される前記第１画像メモリ３１３と、符号化された画像データが記録される前記第２画像メモリ３１４とが個別に設けられることにより、以下に示す効果が得られる。即ち、前記第１画像メモリ３１３としてアクセス速度の速いメモリが採用されることによって前記高速コピー処理がより高速に実行される。また、前記第２画像メモリ３１４として比較的安価な大容量のメモリが採用されることにより、多様な応用コピー機能を比較的低コストで実現できる。
【０１０４】
また、前記通常コピー処理が行われる場合において、前記第１ランプチェック処理の結果が不良である場合、前記第２ランプチェック処理が実行される。そのため、例えば、前記原稿カバー部２１０が完全に閉じられていない状態で前記スタートボタン３１１１が操作された場合に、前記第１ランプチェック処理のみによって前記光源２４１の良否について誤った判定が行われることが防止される。
【０１０５】
また、前記開閉センサ２９０により、前記原稿カバー部２１０が閉じられていることが検知されている場合、前記第１ランプチェック処理のみによって前記光源２４１の良否判定が行われることも考えられる。しかしながら、前記開閉センサ２９０の検知結果は、利用者又は原稿などが誤って前記開閉センサ２９０に接触している場合、及び前記原稿カバー部２１０がわずかに開かれている場合など、誤検知を行う場合がある。従って、前記原稿カバー部２１０が閉じられていることが検知されている場合においても、前記第１ランプチェック処理の結果が不良であるときには、前記第２ランプチェック処理を行うことが望ましい。
【０１０６】
また、前記複写機１において、前記開閉センサ２９０により、前記原稿カバー部２１０が開かれていることが検知されている場合、前記第１ランプチェック処理がスキップされることが考えれる。前記開閉センサ２９０が、前記原稿カバー部２１０が開かれていることについて誤検知する可能性がきわめて低い場合には、上記のような処理も有効である。
【０１０７】
また、図６及び図７に示されるコピー処理において、ステップＳ２２における１回目の前記第１ランプチェック処理の結果が不良である場合に、ステップＳ２２における２回目の記第１ランプチェック処理がスキップされることが考えられる。この場合、ステップＳ４１において、前記メイン制御部３１０が、前記スキャナ制御部３２０に対して記第１ランプチェック処理のスキップを指示することが考えられる。或いは、前記スキャナ制御部３２０が、ステップＳ２２における１回目の前記第１ランプチェック処理の結果を記憶し、その結果が不良であるときに、ステップＳ２２における記第１ランプチェック処理をスキップすることも考えられる。
【産業上の利用可能性】
【０１０８】
本発明は、複写機に利用可能である。
【符号の説明】
【０１０９】
１  複写機
２  シート材
３  原稿
１００  画像形成部
１０１  給紙カセット
１０２  シート材搬送経路
１０３  排紙トレイ
１１０  給紙ローラ
１２０  レジストローラ
１３０  転写ユニット
１４０  定着装置
１４１  定着温度センサ
１５０  排紙ローラ
２００  画像読み取り部
２１０  原稿カバー部
２１１  原稿トレイ
２１２  排出トレイ
２１３  原稿押さえ部２１３
２１９  ヒンジ
２２０  スキャナ部
２２１  原稿台
２２２  第１読み取り窓
２２３  シェーディング補正板
２３０  自動原稿搬送装置（ＡＤＦ）
２３１  原稿搬送路
２３２  原稿供給機構
２３３  原稿搬送ローラ
２３４  第２読み取り窓
２３５  原稿排出ローラ
２３６  参照板
２４０  第１キャリッジ
２４１  光源
２４２  第１ミラー
２５０  第２キャリッジ
２５１，２５２  第２ミラー
２６０  集光レンズ
２７０  受光素子
２８０  キャリッジ走査機構
２９０  開閉センサ
３１０  メイン制御部
３１１  操作部
３１２  表示部
３１３  第１画像メモリ
３１４  第２画像メモリ
３２０  スキャナ制御部
３３０  プリンタ制御部
３４０  ファクシミリ制御部
３５０  ネットワーク制御部
３１１１  スタートボタン
Ｓ１１，Ｓ１２，…，Ｓ６４  ステップ
【図１】
2011124904.tif 000003
【図２】
2011124904.tif 000004
【図３】
2011124904.tif 000005
【図４】
2011124904.tif 000006
【図５】
2011124904.tif 000007
【図６】
2011124904.tif 000008
【図７】
2011124904.tif 000009